(57)【要約】【課題】携帯端末のみで、携帯端末が置き忘れられたかを判定する。【解決手段】使用者によって携帯されて操作される携帯端末であって、携帯端末は、電話の着信やメール受信などに応じてスピーカーやバイブレータなどが動作すると、タイマーの計測をスタートさせるとともに、かかる動作後の携帯端末に対する使用者の操作を監視する。そして、動作してから使用者が操作で反応するまでの時間が、予め定めた時間内にない場合には、例えば、受信したメールを開封する操作が携帯端末に対して行われず、予め定めた時間が経過した場合には、置き忘れられたと判定する。一方、予め定めた時間内に、携帯端末に対する使用者の操作がある場合には、置き忘れられたとは判定しない。これにより、携帯端末のみで、置き忘れられたか否かを判定することができる。【選択図】        図１
2008141421.tif 000002
【特許請求の範囲】
【請求項１】
使用者によって携帯されて操作される携帯端末であって、
前記携帯端末に対する使用者の操作内容であって当該携帯端末の置き忘れを判定する際に用いられる置き忘れ条件を記憶する置き忘れ条件記憶手段と、
前記携帯端末が動作した後に、当該携帯端末に対する使用者の操作を監視する操作監視手段と、
前記操作監視手段による監視結果と前記置き忘れ条件記憶手段に記憶された置き忘れ条件とを比較し、当該監視結果が当該置き忘れ条件を満たす場合に、前記携帯端末が置き忘れられたと判定する置き忘れ判定手段と、
を備えたことを特徴とする携帯端末。
【請求項２】
前記置き忘れ条件記憶手段は、前記置き忘れ条件として、前記携帯端末が動作してから前記使用者が操作で反応するまでに要する時間を示す反応時間を記憶し、
前記操作監視手段は、前記携帯端末が動作した後に、当該携帯端末に対する使用者の操作があったか否かを監視し、
前記置き忘れ判定手段は、前記携帯端末が動作してから前記置き忘れ条件記憶手段に記憶された反応時間を経過するまでに、当該携帯端末に対する使用者の操作がないことが前記操作監視手段によって監視された場合に、当該携帯端末が置き忘れられたと判定することを特徴とする請求項１に記載の携帯端末。
【請求項３】
前記携帯端末の動作ごとに、各動作を監視するか否かの設定および／または各動作の前記反応時間の設定を前記使用者から受け付ける設定受付手段をさらに備え、
前記置き忘れ条件記憶手段は、前記設定受付手段によって監視および反応時間が設定された動作ごとに、各動作の反応時間を記憶することを特徴とする請求項１または２に記載の携帯端末。
【請求項４】
前記置き忘れ条件記憶手段は、前記置き忘れ条件として、当該携帯端末に対して使用者が通常行う操作内容を示す通常操作を記憶し、
前記操作監視手段は、前記携帯端末が動作した後に、前記置き忘れ条件記憶手段に記憶された通常操作と同様の操作があったか否かを監視し、
前記置き忘れ判定手段は、前記置き忘れ条件記憶手段に記憶された通常操作と同様の操作が行われなかったことが前記操作監視手段によって監視された場合に、前記携帯端末が置き忘れられたと判定することを特徴とする請求項１に記載の携帯端末。
【請求項５】
前記置き忘れ条件記憶手段は、前記携帯端末の置き忘れを判定すべき時間帯を示す判定時間帯をさらに記憶し、
前記操作監視手段は、前記置き忘れ条件記憶手段に記憶された判定時間帯に限り、前記携帯端末に対する使用者の操作を監視し、
前記置き忘れ判定手段は、前記置き忘れ条件記憶手段に記憶された判定時間帯に限り、前記携帯端末の置き忘れを判定することを特徴とする請求項１〜４のいずれか一つに記載の携帯端末。
【請求項６】
使用者によって携帯されて操作される携帯端末を制御する携帯端末制御装置であって、
前記携帯端末に対する使用者の操作内容であって当該携帯端末の置き忘れを判定する際に用いられる置き忘れ条件を記憶する置き忘れ条件記憶手段と、
前記携帯端末が動作した後に、当該携帯端末に対する使用者の操作を監視する操作監視手段と、
前記操作監視手段による監視結果と前記置き忘れ条件記憶手段に記憶された置き忘れ条件とを比較し、当該監視結果が当該置き忘れ条件を満たす場合に、前記携帯端末が置き忘れられたと判定する置き忘れ判定手段と、
を備えたことを特徴とする携帯端末制御装置。
【請求項７】
使用者によって携帯されて操作される携帯端末を制御する携帯端末制御方法であって、
前記携帯端末に対する使用者の操作内容であって当該携帯端末の置き忘れを判定する際に用いられる置き忘れ条件を所定の記憶部に記憶する置き忘れ条件記憶工程と、
前記携帯端末が動作した後に、当該携帯端末に対する使用者の操作を監視する操作監視工程と、
前記操作監視手段による監視結果と前記所定の記憶部に記憶された置き忘れ条件とを比較し、当該監視結果が当該置き忘れ条件を満たす場合に、前記携帯端末が置き忘れられたと判定する置き忘れ判定工程と、
を含んだことを特徴とする携帯端末制御方法。
【請求項８】
使用者によって携帯されて操作される携帯端末を制御する方法をコンピュータに実行させる携帯端末制御プログラムであって、
前記携帯端末に対する使用者の操作内容であって当該携帯端末の置き忘れを判定する際に用いられる置き忘れ条件を所定の記憶部に記憶する置き忘れ条件記憶手順と、
前記携帯端末が動作した後に、当該携帯端末に対する使用者の操作を監視する操作監視手順と、
前記操作監視手順による監視結果と前記所定の記憶部に記憶された置き忘れ条件とを比較し、当該監視結果が当該置き忘れ条件を満たす場合に、前記携帯端末が置き忘れられたと判定する置き忘れ判定手順と、
をコンピュータに実行させることを特徴とする携帯端末制御プログラム。
【発明の詳細な説明】
【技術分野】
【０００１】
この発明は、使用者によって携帯されて操作される携帯端末、携帯端末制御装置、携帯端末制御方法および携帯端末制御プログラムに関する。
【背景技術】
【０００２】
従来、携帯端末（例えば、携帯電話、ＰＨＳ、ＰＤＡ、ノートパソコンなど）が置き忘れられた際に、使用者に発生する不都合を回避する目的で、様々な工夫がなされている。特に、使用者が携帯端末の置き忘れに気づかない場合において、携帯端末が置き忘れられたことに自動的に対応できるようにするために、携帯端末が、置き忘れられたことを自動的に認識するためにはどうすべきかという点に関して、様々な取り組みがなされている。
【０００３】
例えば、特許文献１（特開２００３−８７３６８号公報）では、携帯端末が、携帯端末と付属無線装置との間の距離を用いて、置き忘れられたことを自動的に認識する技術が開示されている。具体的には、付属無線装置は、使用者に常に保持され、携帯端末と付属無線装置とは、近距離無線通信（ブルートゥース等）による通信を行うことにより両端末の距離が一定の範囲に存在しているか否かを判断している。そして、携帯端末は、付属無線装置の一定の範囲にないことを（使用者からの距離が一定の範囲を超えていることを）探知すると、置き忘れられたと自動的に認識する。
【０００４】
【特許文献１】特開２００３−８７３６８号公報（第１−３頁、第１図）
【発明の開示】
【発明が解決しようとする課題】
【０００５】
ところで、上記した従来の技術では、携帯端末だけでは携帯端末の置き忘れ判断を実現
することができないという問題点があった。具体的には、携帯端末が置き忘れられているかの判断は、携帯端末のみで行うことはできず、置き忘れられたかどうかを監視する装置（例えば、近距離通信無線を利用した付属無線装置）等がなければ実現することができなかった。
【０００６】
そこで、この発明は、上述した従来技術の課題を解決するためになされたものであり、携帯端末が、携帯端末のみで置き忘れられたことを判定することが可能な携帯端末、携帯端末制御装置、携帯端末制御方法および携帯端末制御プログラムを提供することを目的とする。
【課題を解決するための手段】
【０００７】
上述した課題を解決し、目的を達成するため、請求項１に係る発明は、使用者によって携帯されて操作される携帯端末であって、前記携帯端末に対する使用者の操作内容であって当該携帯端末の置き忘れを判定する際に用いられる置き忘れ条件を記憶する置き忘れ条件記憶手段と、前記携帯端末が動作した後に、当該携帯端末に対する使用者の操作を監視する操作監視手段と、前記操作監視手段による監視結果と前記置き忘れ条件記憶手段に記憶された置き忘れ条件とを比較し、当該監視結果が当該置き忘れ条件を満たす場合に、前記携帯端末が置き忘れられたと判定する置き忘れ判定手段と、を備えたことを特徴とする。
【０００８】
また、請求項２に係る発明は、上記の発明において、前記置き忘れ条件記憶手段は、前記置き忘れ条件として、前記携帯端末が動作してから前記使用者が操作で反応するまでに要する時間を示す反応時間を記憶し、前記操作監視手段は、前記携帯端末が動作した後に、当該携帯端末に対する使用者の操作があったか否かを監視し、前記置き忘れ判定手段は、前記携帯端末が動作してから前記置き忘れ条件記憶手段に記憶された反応時間を経過するまでに、当該携帯端末に対する使用者の操作がないことが前記操作監視手段によって監視された場合に、当該携帯端末が置き忘れられたと判定することを特徴とする。
【０００９】
また、請求項３に係る発明は、上記の発明において、前記携帯端末の動作ごとに、各動作を監視するか否かの設定および／または各動作の前記反応時間の設定を前記使用者から受け付ける設定受付手段をさらに備え、前記置き忘れ条件記憶手段は、前記設定受付手段によって監視および反応時間が設定された動作ごとに、各動作の反応時間を記憶することを特徴とする。
【００１０】
また、請求項４に係る発明は、上記の発明において、前記置き忘れ条件記憶手段は、前記置き忘れ条件として、当該携帯端末に対して使用者が通常行う操作内容を示す通常操作を記憶し、前記操作監視手段は、前記携帯端末が動作した後に、前記置き忘れ条件記憶手段に記憶された通常操作と同様の操作があったか否かを監視し、前記置き忘れ判定手段は、前記置き忘れ条件記憶手段に記憶された通常操作と同様の操作が行われなかったことが前記操作監視手段によって監視された場合に、前記携帯端末が置き忘れられたと判定することを特徴とする。
【００１１】
また、請求項５に係る発明は、上記の発明において、前記置き忘れ条件記憶手段は、前記携帯端末の置き忘れを判定すべき時間帯を示す判定時間帯をさらに記憶し、前記操作監視手段は、前記置き忘れ条件記憶手段に記憶された判定時間帯に限り、前記携帯端末に対する使用者の操作を監視し、前記置き忘れ判定手段は、前記置き忘れ条件記憶手段に記憶された判定時間帯に限り、前記携帯端末の置き忘れを判定することを特徴とする。
【００１２】
また、請求項６に係る発明は、使用者によって携帯されて操作される携帯端末を制御する携帯端末制御装置であって、前記携帯端末に対する使用者の操作内容であって当該携帯端末の置き忘れを判定する際に用いられる置き忘れ条件を記憶する置き忘れ条件記憶手段と、前記携帯端末が動作した後に、当該携帯端末に対する使用者の操作を監視する操作監視手段と、前記操作監視手段による監視結果と前記置き忘れ条件記憶手段に記憶された置き忘れ条件とを比較し、当該監視結果が当該置き忘れ条件を満たす場合に、前記携帯端末が置き忘れられたと判定する置き忘れ判定手段と、を備えたことを特徴とする。
【００１３】
また、請求項７に係る発明は、使用者によって携帯されて操作される携帯端末を制御する携帯端末制御方法であって、前記携帯端末に対する使用者の操作内容であって当該携帯端末の置き忘れを判定する際に用いられる置き忘れ条件を所定の記憶部に記憶する置き忘れ条件記憶工程と、前記携帯端末が動作した後に、当該携帯端末に対する使用者の操作を監視する操作監視工程と、前記操作監視手段による監視結果と前記所定の記憶部に記憶された置き忘れ条件とを比較し、当該監視結果が当該置き忘れ条件を満たす場合に、前記携帯端末が置き忘れられたと判定する置き忘れ判定工程と、を含んだことを特徴とする。
【００１４】
また、請求項８に係る発明は、使用者によって携帯されて操作される携帯端末を制御する方法をコンピュータに実行させる携帯端末制御プログラムであって、前記携帯端末に対する使用者の操作内容であって当該携帯端末の置き忘れを判定する際に用いられる置き忘れ条件を所定の記憶部に記憶する置き忘れ条件記憶手順と、前記携帯端末が動作した後に、当該携帯端末に対する使用者の操作を監視する操作監視手順と、前記操作監視手順による監視結果と前記所定の記憶部に記憶された置き忘れ条件とを比較し、当該監視結果が当該置き忘れ条件を満たす場合に、前記携帯端末が置き忘れられたと判定する置き忘れ判定手順と、をコンピュータに実行させることを特徴とする。
【発明の効果】
【００１５】
請求項１、６、７または８の発明によれば、携帯端末は、置き忘れ条件を記憶し、使用者の操作を監視し、監視結果が置き忘れ条件を満たす場合に、携帯端末が置き忘れられたと判定するので、携帯端末が動作した後の携帯端末に対する使用者の操作を監視して、携帯端末のみで置き忘れられたことを判定することができる。
【００１６】
また、請求項２の発明によれば、携帯端末は、置き忘れ条件として反応時間を記憶し、携帯端末が動作した後に使用者の操作があるかどうかを監視し、携帯端末が動作してから反応時間を経過するまでに、使用者の操作がない場合に、携帯端末が置き忘れられたと判定するので、使用者が携帯端末から離れており、動作に対して操作がなければ、置き忘れとみなすことで、携帯端末のみで置き忘れられたことを判定することができる。
【００１７】
また、請求項３の発明によれば、携帯端末は、携帯端末の動作ごとに、各動作を監視するか否かの設定および／または各動作の反応時間の設定を使用者から受け付け、設定された動作ごとに各動作の反応時間を記憶するので、携帯端末の動作ごとに監視の有無や反応時間を使用者の好みで設定することで、携帯端末の動作ごとに使用者の使用態様に応じて、的確に置き忘れられたことを判定することができる。
【００１８】
また、請求項４の発明によれば、携帯端末は、置き忘れ条件として、携帯端末に対して使用者が通常行う操作内容を示す通常操作を記憶し、携帯端末が動作した後に、通常操作と同様の操作があったか否かを監視し、通常操作と同様の操作が行われなかった場合に、置き忘れられたと判定するので、使用者以外の者が操作しており、通常行う操作でなければ、置き忘れとみなすことで、携帯端末は、携帯端末のみで置き忘れられたことを判定することができる。
【００１９】
また、請求項５の発明によれば、携帯端末は、判定時間帯をさらに記憶し、判定時間帯に限り、使用者の操作を監視し、また、携帯端末の置き忘れを判定するので、置き忘れられていない状態での誤判定（例えば、睡眠中に置き忘れられたと判定されることなど）を防止することができる。
【発明を実施するための最良の形態】
【００２０】
以下に添付図面を参照して、この発明に係る携帯端末、携帯端末制御装置、携帯端末制御方法および携帯端末制御プログラムの実施例を詳細に説明する。なお、以下では、本実施例に係る携帯端末の概要および特徴、携帯端末の構成および処理の流れを順に説明する。
【実施例１】
【００２１】
［用語の説明］
まず最初に、以下の実施例で用いる主要な用語を説明する。「携帯端末」とは、通常、携帯され操作される電気通信機器である。一般には、携帯電話、ＰＨＳ、ＰＤＡ、ノートパソコンなどが該当する。また、携帯端末の「動作」とは、通常、携帯端末が、なんらかの情報（例えば、電話の着信があったこと、メールを受信したこと、設定した予定やアラームの条件を満たしたこと、電池の残量がすくないことなど）を使用者に知らせるためにする携帯端末の動作である。一般には、携帯端末が、スピーカーから音声を鳴らすことや、バイブレータを用いて振動を出すこと、ディスプレイになんらかの表示を行うこと（例えば、電話の着信等があること示す文字や図形を表示すること、ディスプレイの明るさを変化させること）などが該当する。
【００２２】
［携帯端末の概要および特徴］
続いて、図１を用いて、実施例１に係る携帯端末の概要および特徴を説明する。図１は、実施例１に係る携帯端末の概要および特徴を説明するための図である。
【００２３】
同図に示すように、実施例１に係る携帯端末は、使用者によって携帯され、操作される携帯端末であり、主に、携帯端末の動作を使用者に伝える各部（例えば、ディスプレイやスピーカー、バイブレータなど）と、携帯端末に対する使用者の操作を受け付ける各部（例えば、テンキー、操作キー、回転型セレクタなど）とを有している。そして、例えば、携帯端末がメールを受信した場合に、携帯端末は、受信したことを使用者に伝えるために、スピーカーから音声を出し、バイブレータを用いて振動し、ディスプレイにメールを受信した旨を表示するなどの動作を行う。また、例えば、携帯端末は、受信したメールを開封する使用者の操作を、操作キーなどから受け付ける。そして、このような概要を有する携帯端末は、以下で説明するように、携帯端末のみで置き忘れられたことを判定することができる点に主たる特徴がある。
【００２４】
すなわち、実施例１に係る携帯端末は、使用者の操作の内容であって置き忘れられたと判定する際に用いられる置き忘れ条件を記憶している。具体的には、携帯端末が動作してから使用者が操作で反応するまでの時間（反応時間）を記憶している。例えば、携帯端末が動作してから「３０分間」に使用者の操作がなければ置き忘れられたと判定する場合に、反応時間として「３０分間」を記憶している。
【００２５】
そして、実施例１に係る携帯端末は、電話の着信やメール受信に応じてスピーカーやバイブレータが動作すると、タイマーの計測をスタートさせるとともに、かかる動作後の携帯端末に対する使用者の操作を監視する。具体的には、携帯端末が動作した後に、携帯端末に対する使用者の操作があるかどうかを監視する（図１の（１）参照）。
【００２６】
ここで、かかる携帯端末の動作に対する使用者の操作が予め記憶している反応時間内（例えば、「３０分」以内）にある場合に、実施例１に係る携帯端末は、置き忘れられてはいないと判定し、置き忘れ設定を行わない。つまり、携帯端末は、通常通りに機能する（図１の（Ａ）参照）。
【００２７】
一方、かかる携帯端末の動作に対する使用者の操作が予め定めた時間内にない場合に（例えば、受信したメールを開封する操作が携帯端末に対して行われず、反応時間を経過した場合）、実施例１に係る携帯端末は置き忘れられたと判定し、置き忘れ設定を行う（図１の（Ｂ）参照）。
【００２８】
そして、実施例１に係る携帯端末は、置き忘れ設定を行った場合は、置き忘れられたことにより使用者に生じる不都合（例えば、連絡が取れない、携帯端末が保持する情報に対するセキュリティーの低下など）を軽減する処理を行う。例えば、携帯端末は、特定のあて先からメールを受信すると、そのメールの内容を伝言メモの応答メッセージに登録し、着信時に応答メッセージを伝えることによって、連絡がとれないという不利益を軽減する。
【００２９】
このようなことから、実施例１に係る携帯端末は、使用者が携帯端末から離れており、動作に対して操作がなければ、置き忘れとみなすことで、上記した主たる特徴の如く、携帯端末のみで置き忘れられたことを判定することができる。
【００３０】
［携帯端末の構成］
次に、図２を用いて、実施例１に係る携帯端末の構成を説明する。図２は、実施例１に係る携帯端末の構成を示すブロック図である。同図に示すように、この携帯端末は、無線部１１と、ディスプレイ１２と、スピーカー１３と、カメラ１４と、バイブレータ１５と、マイク１６と、操作部１７と、入出力制御ＩＦ部２０と、制御部３０と、記憶部４０とを備えている。なお、本実施例に示す携帯端末の装置の構成に関する説明は、本実施例に密接に関連する箇所のみを重点的に説明し、その他の構成に係る説明は、従来の携帯端末と同様であるため、省略または簡潔に行う。
【００３１】
無線部１１は、電波を受信または電波を放射し、また、携帯端末が受信した電波を通信データに復元する処理や、携帯端末から放射する通信データを電波に変換する処理を行う。
【００３２】
ディスプレイ１２は、文字や図形などを表示するディスプレイ（例えば液晶ディスプレイ、有機ＥＬディスプレイなど）である。また、スピーカー１３は、音声を出すために用いるスピーカーであり、例えば、携帯端末に電話の着信があった場合やメールを受信した場合に、呼び出し音を鳴らす。カメラ１４は、画像を撮影し、撮影した画像に関するデータを生成する。バイブレータ１５は、携帯端末を振動させる。マイク１６は、周囲の音声を収集し、例えば、音声通信時に使用者の音声を収集する。
【００３３】
操作部１７は、使用者からの操作を受け付けて、携帯端末に対して使用者からの操作内容を伝える。例えば、テンキーや、操作キー、回転セレクタ、カーソル、十字キー、設定キー、決定キー、応答キー、終話キー（電源キー）などで構成される。
【００３４】
入出力制御ＩＦ部２０は、無線部１１やディスプレイ１２、スピーカー１３、カメラ１４、バイブレータ１５、マイク１６、操作キー１７、制御部３０、記憶部４０との間でやり取りする各種情報に関する通信を制御する。
【００３５】
記憶部４０は、各種処理に必要なデータおよびプログラムを格納する。そして、本発明に密接に関連するものとしては、図２に示すように、置き忘れ時設定記憶部４１と、置き忘れ条件記憶部４２とを備える。なお、置き忘れ条件記憶部４２は、特許請求の範囲に記載の「置き忘れ条件記憶手段」に対応する。
【００３６】
置き忘れ条件記憶部４２は、携帯端末に対する使用者の操作内容であって、携帯端末の置き忘れを判定する際に用いられる置き忘れ条件を記憶する。具体的には、携帯端末が動作してから使用者が操作で反応するまでに要する時間を示す反応時間を記憶する。より詳細には、図３に示すように、置き忘れを判定する条件として、携帯端末が置き忘れられたかを判定するか否かを示す「置き忘れ判定」と、置き忘れ判定を開始する時間を示す「判定開始時間」と、置き忘れ判定を終了する時間を示す「判定終了時間」と、反応時間を示す「無操作時間」とを記憶する。
【００３７】
例えば、図３に示す例では、置き忘れ条件記憶部４２は、「置き忘れ判定」として「有り」を記憶し、「判定開始時間」として「０６：００」を記憶し、「判定終了時間」として「２３：００」を記憶し、「無操作時間（反応時間）」として「３０分」を記憶する。なお、図３は、実施例１における置き忘れ条件記憶部４２に記憶される条件の一例を示す図である。
【００３８】
ここで、図４を用いて、置き忘れ条件記憶部４２に記憶される条件の設定処理の一例を説明する。図４は、実施例１における置き忘れ条件の設定時の処理の一例を示す図である。同図の（Ａ）に示すように、携帯端末は、ディスプレイ１２に、「置き忘れ判定」（置き忘れを判定する否か）を受け付けるフィールドと、「判定時間帯（開始）」（置き忘れ判定を開始する時刻）を受け付けるフィールドと、「判定時間帯（終了）」（置き忘れ判定を終了する時刻）を受け付けるフィールドと、「無操作時間」（反応時間）を受け付けるフィールドと、「登録」（置き忘れ条件を登録すること）指示を受け付けるボタンとから成る「置き忘れ条件設定」画面を表示する。そして、携帯端末は、操作部１７を介して、「置き忘れ判定」として「有り」、「判定開始時間」として「０６：００」、「判定終了時間」として「２３：００」、「無操作時間（反応時間）」として「３０分」を設定する登録指示を受け付けると、置き忘れ条件記憶部４２は、同図の（Ｂ）に示すように、これらを記憶する。なお、置き忘れ条件記憶部４２は、例えば、不揮発メモリとして構成される。
【００３９】
置き忘れ時設定記憶部４１は、置き忘れられたと判定された携帯端末が行う動作条件である置き忘れ時動作条件を記憶する。より詳細には、図５に示すように、後述する置き忘れ設定中に携帯端末がメールを受信した場合に監視すべき受信アドレス（メールアドレス）を示す「登録アドレス（メールアドレス）」を記憶するとともに、置き忘れ設定中に携帯端末が電話を着信した場合に監視すべき着信アドレス（電話番号）を示す「応答アドレス（電話番号）」と、後述する「メッセージ」を一意に識別する「メッセージ番号」とを対応付けて「特殊応答用テーブル」に記憶する。また、置き忘れ設定中に携帯端末が「応答アドレス」から着信した時に相手への伝言メモとして使用するメッセージを示す「メッセージ」と、「メッセージ番号」とを対応付けて「メッセージテーブル」に記憶する。
【００４０】
例えば、図５に示す例では、置き忘れ時設定記憶部４１は、「登録アドレス（メールアドレス）」として「富士通太郎」のメールアドレスを記憶する（図５の（Ａ）参照）。また、「応答アドレス（電話番号）」および「メッセージ番号」として、「富士通次郎」と「Ｎｏ．１」とを対応付けて「特殊応答用テーブル」に記憶するとともに、「富士通三郎」と「Ｎｏ．２」とを対応付けて「特殊応答用テーブル」に記憶する（図５の（Ｂ）参照）。また、「メッセージ番号」および「メッセージ」として、「Ｎｏ．１」と「ごめん今日携帯わすれて連絡とれない。５時に予定どおり４プラでまってるね。」とを対応付けて「メッセージテーブル」に記憶するとともに、「Ｎｏ．２」と「今携帯もっていないので、連絡とれません。」とを対応付けて「メッセージテーブル」に記憶する（図５の（Ｃ）参照）。なお、図５は、実施例１における置き忘れ時設定記憶部に記憶される条件の一例を示す図である。
【００４１】
制御部３０は、ＯＳ（Operating System）などの制御プログラム、各種の処理手順などを規定したプログラムおよび所要データを格納するための内部メモリを有し、これらによって種々の処理を実行して携帯端末を制御する。そして、本発明に密接に関連するものとしては、図２に示すように、操作監視部３１と、置き忘れ判定部３２と、置き忘れ時制御部３３とを備える。なお、操作監視部３１は、特許請求の範囲に記載の「操作監視手段」に対応し、置き忘れ判定部３２は、特許請求の範囲に記載の「置き忘れ判定手段」に対応する。
【００４２】
操作監視部３１は、携帯端末が動作した後に、携帯端末に対する使用者の操作を監視する。具体的には、携帯端末が動作した後（例えば、携帯端末がメールを受信した場合に、ディスプレイ１２がメールを受信した旨を表示し、スピーカー１３が音を鳴らし、バイブレータ１５が振動した後）に、携帯端末に対する使用者の操作があったか否か（例えば、携帯端末に対する使用者の操作が操作部１７で行われたかどうか）を監視する。なお、操作監視部３１は、後述する置き忘れ判定部３２からの指示を受けて、携帯端末に対する使用者の操作があったか否かの監視を開始し、反応時間が経過するまで、または、携帯端末に対する操作があるまで、携帯端末に対する使用者の操作を監視する。
【００４３】
置き忘れ判定部３２は、操作監視部３１による監視結果と置き忘れ条件記憶部４２に記憶された置き忘れ条件とを比較して、監視結果が置き忘れ条件を満たす場合に、携帯端末が置き忘れられたと判定する。具体的には、携帯端末が動作してから置き忘れ時設定記憶部４１に記憶されている反応時間を経過するまでに、携帯端末に対する使用者の操作がないという監視結果である場合に、携帯端末が置き忘れられたと判定する。
【００４４】
さらに詳細には、置き忘れ判定部３２は、携帯端末が動作すると、置き忘れ条件記憶部４２に記憶された置き忘れ判定時間帯（判定時間帯）かを判定し、置き忘れ判定時間帯である場合には、携帯端末への使用者の操作を監視する旨の指示（監視を開始する旨の指示）を操作監視部３１に送るとともに、タイマーの計測を開始する。一方、置き忘れ判定時間帯でない場合には、携帯端末への使用者の操作を監視する指示（監視を開始する指示）を操作監視部３１に送らず、タイマーの計測を開始せず、携帯端末が置き忘れられているかどうかの判定も行わず、処理を終了する。
【００４５】
そして、置き忘れ判定部３２は、タイマーの計測を開始した後、置き忘れ条件記憶部４２に記憶された反応時間を経過するまでに携帯端末に対する使用者の操作がない場合には、置き忘れられたと判定し、置き忘れ時制御部３３に置き忘れ設定を行う。一方、反応時間を経過するまでに携帯端末に対する使用者の操作がある場合には、置き忘れられたと判定せず、置き忘れ設定も行わず、処理を終了する。
【００４６】
例えば、反応時間（無操作時間）として「３０分」と置き忘れ条件記憶部４２に記憶されている場合を例にあげて説明すると、携帯端末が置き忘れ判定時間帯（判定時間帯）にメールを受信し、ディスプレイ１２がメールを受信した旨の表示を行ってから「３０分」経過前に、使用者による操作が操作キー１７で行われなかった場合には、置き忘れ判定部３２は、置き忘れられたと判定し、置き忘れ設定を行う。一方、「３０分」経過前に使用者による操作が操作部１７で行われた場合には、置き忘れ判定部３２は、置き忘れられたとは判定しない。
【００４７】
置き忘れ時制御部３３は、置き忘れ判定部３２によって置き忘れ設定が行われた場合に、置き忘れ時の動作を制御する。具体的には、置き忘れ時設定記憶部４１に記憶された置き忘れ時動作条件に従って、携帯端末の動作を制御する。
【００４８】
ここで、例をあげて説明すると、図６に示すように、置き忘れ設定中に（置き忘れ判定部３２によって置き忘れ設定が行われた後）、携帯端末がメールを受信すると、置き忘れ時制御部３３は、受信したメールの送信元アドレスが、置き忘れ時設定記憶部４１に記憶してある「登録アドレス」と一致するかを判定する。そして、一致した場合に、置き忘れ時制御部３３は、メール本文に記載してあるテキストから、「to：」の次に記載してある名前である「富士通次郎」を「応答アドレス」として抽出するとともに、それ以外のメール本文のテキストである「ごめん今日携帯わすれて連絡とれない。５時に予定どおり４プラでまってるね。」を「メッセージ」として抽出する。そして、置き忘れ時制御部３３は、「Ｎｏ．１」（メッセージ番号）と抽出した「応答アドレス」とを対応付けて、置き忘れ時設定記憶部４１の「特殊応答用テーブル」に記憶するとともに、「Ｎｏ．１」（メッセージ番号）と抽出した「メッセージ」とを対応付けて、置き忘れ時設定記憶部４１の「メッセージテーブル」に記憶する。なお、図６は、実施例１における置き忘れ設定中のメール受信処理の一例を示す図である。
【００４９】
その後、置き忘れ時設定記憶部４１に記憶してある「特殊応答用テーブル」に記載してある人物から電話の着信があると、置き忘れ時制御部３３は、該当する「メッセージ番号」を選び、対応する「メッセージ」を再生する。
【００５０】
これを詳細に説明すると、置き忘れ設定中に、実施例１に係る携帯端末に電話の着信があると、置き忘れ時制御部３３は、電話の発信元と、置き忘れ時設定記憶部４１の「特殊応答用テーブル」に記憶されている「応答アドレス」とが一致するかを判定する。例えば、置き忘れ時設定記憶部４１の「特殊応答用テーブル」に「富士通次郎」と「富士通三郎」とが記憶されている場合において、「富士通次郎」から電話の着信があった場合に、電話の着信の発信元が「応答アドレス」と一致していると判定する（図６参照）。
【００５１】
そして、一致した場合には、置き忘れ時制御部３３は、置き忘れ時設定記憶部４１の「特殊応答テーブル」から「応答アドレス」に対応する「メッセージ番号」を抽出し、抽出した「メッセージ番号」に対応する「メッセージ」を「メッセージテーブル」から抽出して応答メッセージとして再生する。例えば、「富士通次郎」に対応する「Ｎｏ．１」（「メッセージ番号」）を抽出し、「Ｎｏ．１」に対応する「ごめん今日携帯わすれて連絡とれない。５時に予定どおり４プラでまってるね。」という「メッセージ」を抽出して伝言メモの応答メッセージとして再生する。一方、一致しない場合には、処理を終了する。
【００５２】
［携帯端末による置き忘れ判定時の処理］
次に、図７を用いて、実施例１における置き忘れ判定の処理手順を説明する。図７は、実施例１における置き忘れ判定の処理を示すフローチャートである。
【００５３】
図７に示すように、置き忘れ判定部３２は、携帯端末が動作すると（ステップＳ１０１肯定）、置き忘れ条件記憶部４２に記憶された置き忘れ判定時間帯（判定時間帯）かを判定する（ステップＳ１０２）。
【００５４】
ここで、置き忘れ判定部３２は、置き忘れ判定時間帯である場合には（ステップＳ１０２肯定）、携帯端末への使用者の操作を監視する旨の指示（監視を開始する旨の指示）を操作監視部３１に送り、タイマーの計測を開始する（ステップＳ１０３）。なお、監視をする旨の指示を受けた操作監視部３１は、使用者の操作があるかどうかを監視する。一方、置き忘れ判定時間帯でない場合には（ステップＳ１０２否定）、タイマーの計測を開始せず、監視を開始する指示を操作監視部３１に送らず、処理を終了する。
【００５５】
そして、置き忘れ判定部３２は、タイマーを開始した後（ステップＳ１０２肯定およびＳ１０３）、無操作時間（反応時間）経過までに携帯端末に対する使用者の操作があるかどうかを判定する（ステップＳ１０４およびＳ１０５）。
【００５６】
ここで、置き忘れ判定部３２は、無操作時間（反応時間）を経過するまでに携帯端末に対する使用者の操作がない場合には（ステップＳ１０４肯定およびＳ１０５否定）、携帯端末が置き忘れられたと判定し、置き忘れ時制御部３３に置き忘れ設定を行う（ステップＳ１０６）。一方、無操作時間内を経過するまでに携帯端末に対する使用者の操作がある場合には（ステップＳ１０４否定およびＳ１０５肯定）、携帯端末が置き忘れられたとは判定せず、置き忘れ時制御部３３に置き忘れ設定を行わず、処理を終了する。
【００５７】
［置き忘れ設定中のメール受信の処理］
次に、図８を用いて、実施例１における置き忘れ設定中のメール受信処理手順を説明する。図８は、実施例１における置き忘れ設定中のメール受信処理を示すフローチャートである。
【００５８】
図８に示すように、置き忘れ時制御部３３は、置き忘れ設定中にメールを受信すると（ステップＳ２０１肯定）、受信したメールの送信元アドレスをチェックし（ステップＳ２０２）、置き忘れ時設定記憶部４１に記憶してある「登録アドレス」と一致するかを判定する（ステップＳ２０３）。
【００５９】
そして、置き忘れ時制御部３３は、送信元アドレスと置き忘れ時設定記憶部４１に記憶してある「登録アドレス」とが一致する場合には（ステップＳ２０３肯定）、受信したメールから「応答アドレス」を抽出して、「メッセージ番号」と対応付けて「特殊応答用テーブル」に設定し（記憶させ）、また、「メッセージ」を抽出し、「メッセージ番号」と対応付けて「メッセージテーブル」に設定する（記憶させる）（ステップＳ２０４）。一方、一致しない場合には、処理を終了する（ステップＳ２０３否定）。
【００６０】
［置き忘れ設定中の電話着信の処理］
次に、図９を用いて、実施例１における置き忘れ設定中の電話着信処理手順を説明する。図９は、実施例１における置き忘れ設定中の電話着信処理を示すフローチャートである。
【００６１】
図９に示すように、置き忘れ時制御部３３は、置き忘れ設定中に着信（電話）があると（ステップＳ３０１肯定）、電話の発信元が置き忘れ時設定記憶部４１に登録されているかを判定する（ステップＳ３０２）。つまり、電話の発信元と置き忘れ時設定記憶部４１の「特殊応答用テーブル」に記憶されている「応答アドレス」とが一致するかを判定する。
【００６２】
そして、置き忘れ時制御部３３は、電話の発信元が置き忘れ時設定記憶部４１に登録されている場合には（ステップＳ３０２肯定）、つまり、電話の発信元と「登録アドレス」とが一致する場合には、置き忘れ時設定記憶部４１の「特殊応答テーブル」から「応答アドレス」に対応する「メッセージ番号」を抽出する（ステップＳ３０３）。そして、抽出した「メッセージ番号」に対応する「メッセージ」を伝言メモの応答メッセージとして再生する（ステップＳ３０４）。一方、登録されていない場合には（ステップＳ３０２否定）、処理を終了する。
【００６３】
［実施例１の効果］
上記したように、実施例１によれば、携帯端末は、置き忘れ条件を記憶し、使用者の操作を監視し、監視結果が置き忘れ条件を満たす場合に、携帯端末が置き忘れられたと判定するので、携帯端末が動作した後の携帯端末に対する使用者の操作を監視して、携帯端末のみで置き忘れられたことを判定することができる。
【００６４】
また、実施例１によれば、携帯端末は、置き忘れ条件として反応時間を記憶し、携帯端末が動作した後に使用者の操作があるかどうかを監視し、携帯端末が動作してから反応時間を経過するまでに、使用者の操作がない場合に、携帯端末が置き忘れられたと判定するので、使用者が携帯端末から離れており、動作に対して操作がなければ、置き忘れとみなすことで、携帯端末のみで置き忘れられたことを判定することができる。
【００６５】
また、実施例１によれば、携帯端末は、判定時間帯をさらに記憶し、判定時間帯に限り、使用者の操作を監視し、また、携帯端末の置き忘れを判定するので、置き忘れられていない状態での誤判定（例えば、睡眠中に置き忘れられたと判定されることなど）を防止することができる。
【実施例２】
【００６６】
さて、これまで、実施例１として、携帯端末の動作を区別することなく、携帯端末が置き忘れを同一の反応時間判定する場合について説明したが、本発明はこれに限定されるものではなく、携帯端末の動作種別（例えば、電話の着信、メール受信など）ごとに置き忘れを判定してもよい。
【００６７】
そこで、以下では、実施例２として、携帯端末の動作種別ごとに置き忘れ条件を設定して、動作種別ごとに置き忘れられたかを判定する場合について説明する。なお、以下では、実施例１または２に係る携帯端末と同様の点については、簡単に説明することにする。
【００６８】
［実施例２の概要および特徴］
まず最初に、図１０を用いて、実施例２に係る携帯端末の概要および特徴を説明する。図１０は、実施例２における置き忘れ条件の詳細設定時の画面の一例を示す図である。実施例２に係る携帯端末は、携帯端末の動作ごとに、反応時間を記憶し、さらに、携帯端末の動作ごとに各動作を監視するか否かの設定および／または各動作の反応時間の設定を使用者から受け付ける。
【００６９】
すなわち、実施例２に係る携帯端末は、携帯端末の動作種別ごとに置き忘れ条件の有無を設定することができ、また、携帯端末の動作種別ごとに、無操作時間を設定することができる。例えば、図１０に示すように、実施例２に係る携帯端末は、「置き忘れ判定」を受け付けるフィールドや、マナーモード時（携帯端末はスピーカー１３から音声を鳴らさない状態）に置き忘れ判定をするかどうかを示す「マナーモード時」を受け付けるフィールドや、「判定時間帯（開始）」を受け付けるフィールドや、「判定時間帯（終了）」を受け付けるフィールドや、携帯端末の動作を示す「動作」ごとに、対応する「動作」時の「置き忘れ判定」と、対応する「動作」時の「無操作時間」とを受け付けるフィールドから成る「置き忘れ判定条件詳細設定」画面を表示する。
【００７０】
例えば、図１０に示すような設定を受け付けると、実施例２に係る携帯端末は、「置き忘れ判定」として「有り」、「マナーモード時」として「無し」、「判定時間帯（開始）」として「０６：００」、「判定時間帯（終了）」として「２３：００」を記憶し、「電話」の動作について、「置き忘れ判定」として「有り」、「無操作時間」として「３０分」を対応付けて記憶し、「メール」の動作について、「置き忘れ判定」として「有り」、「無操作時間」として「３００分」を対応付けて記憶し、「チャット」の動作について、「置き忘れ判定」として「有り」、「無操作時間」として「２０分」を対応付けて記憶し、「アラーム」の動作について、「置き忘れ判定」として「無し」、「無操作時間」として「無し」を対応付けて記憶し、「目覚まし」の動作について、「置き忘れ判定」として「有り」、「無操作時間」として「１５分」を対応付けて記憶し、「予定通知」の動作について、「置き忘れ判定」として「無し」、「無操作時間」として「無し」を対応付けて記憶する。
【００７１】
そして、実施例２に係る携帯端末は、携帯端末の動作に応じて、かかる動作について記憶された反応時間を経過するまでに、携帯端末に対する使用者の操作がないことが監視された場合に、携帯端末が置き忘れられたと判定する。例えば、「電話」について動作した場合には、「３０分」以内に使用者の操作がなければ置き忘れられたと判定し、「メール」について動作した場合には、「３００分」以内に使用者の操作がなければ、置き忘れられたと判定する。なお、実施例２における置き忘れ判定の詳細は、図１１を用いて、詳述する。
【００７２】
このようなことから、実施例２に係る携帯端末は、携帯端末の動作ごとに監視の有無や反応時間を使用者の好みで設定することで、携帯端末の動作ごとに使用者の使用態様に応じて、的確に置き忘れられたことを判定することができる。
【００７３】
［携帯端末による置き忘れ判定時の処理］
次に、図１１を用いて、実施例２における置き忘れ判定の処理手順を説明する。図１１は、実施例２における置き忘れ判定を示すフローチャートである。なお、以下では、実施例１に係る携帯端末と同様の点については、簡単に説明することにする。
【００７４】
図１１に示すように、実施例２に係る携帯端末は、動作すると（ステップＳ４０１肯定）、動作種別を判定する（ステップＳ４０２）。つまり、動作種別が「電話」であるか「メール」であるか「チャット」であるかなどを判定する。そして、実施例２に係る携帯端末は、その動作が置き忘れ判定有りかどうかを判定する（ステップＳ４０３）。つまり、かかる動作の置き忘れ設定において、置き忘れ判定をする設定となっているかどうかを判定する。
【００７５】
そして、実施例２に係る携帯端末は、置き忘れ判定をする設定である場合において（ステップＳ４０３肯定）、置き忘れ判定時間帯であれば（ステップＳ４０４肯定）、動作に対応する無操作時間（反応時間）の設定を行い（ステップＳ４０５）、タイマーの計測を開始し、使用者の操作を監視する（ステップＳ４０６）。例えば、「電話」について動作した場合には、無操作時間として「３０分」と設定して使用者の操作を監視し、「メール」について動作した場合には、無操作時間を「３００分」と設定して使用者の操作を監視する。一方、かかる動作について、置き忘れ判定をおこなう設定でない場合には（ステップＳ４０３否定）、または、置き忘れ判定時間帯でなければ（ステップＳ４０４否定）、携帯端末は置き忘れ判定は行わず、処理を終了する。例えば、「目覚まし」について動作した場合に、置き忘れ判定を行わず、処理を終了する。
【００７６】
そして、実施例２に係る携帯端末は、使用者の操作を監視する場合であって（ステップＳ４０３〜Ｓ４０６）、設定した無操作時間内に使用者の操作がある場合には（ステップＳ４０７否定およびＳ４０８肯定）、携帯端末が置き忘れられたとは判定せず、処理を終了する。例えば、「電話」について動作した場合であって、「３０分」以内に使用者の操作がある場合に、置き忘れられたとは判定せず、処理を終了する。一方、設定した無操作時間内に使用者の操作がない場合には（ステップＳ４０７肯定およびＳ４０８否定）、置き忘れられたと判定し、置き忘れ設定を行う（ステップＳ４０９）。例えば、「メール」について動作した場合であって、「３００分」以内に使用者の操作がない場合に、置き忘れられたと判定し、置き忘れ設定を行う。なお、上記した置き忘れ判定処理は、主に、図２における置き忘れ判定部３２が行う。
【００７７】
［実施例２の効果］
上記したように、実施例２によれば、携帯端末は、携帯端末の動作ごとに反応時間を記憶し、かかる動作に対応する反応時間を経過するまでに使用者の操作がない場合に、置き忘れられたと判定するので、携帯端末の動作ごとに反応時間を設定することで、携帯端末の動作ごとに的確に置き忘れられたことを判定することができる。
【００７８】
また、実施例２によれば、携帯端末は、携帯端末の動作ごとに、各動作を監視するか否かの設定および／または各動作の反応時間の設定を使用者から受け付け、設定された動作ごとに各動作の反応時間を記憶するので、携帯端末の動作ごとに監視の有無や反応時間を使用者の好みで設定することで、携帯端末の動作ごとに使用者の使用態様に応じて、的確に置き忘れられたことを判定することができる。
【実施例３】
【００７９】
さて、これまで実施例１および２として、操作の有無で携帯端末が置き忘れを判定する場合について説明したが、本発明はこれに限定されるものではなく、携帯端末に対する使用者の操作が通常行われるものか否かを監視することにより置き忘れを判定してもよい。
【００８０】
そこで、以下では、実施例３として、携帯端末に対する使用者の操作が、通常おこなわれるものかどうかを監視することにより、携帯端末が置き忘れられたかを判定する場合について説明する。なお、以下では、実施例１〜２に係る携帯端末と同様の点については、簡単に説明することにする。
【００８１】
［実施例３の概要および特徴］
まず最初に、図１２を用いて、実施例３に係る携帯端末の概要および特徴を説明する。なお、図１２は、実施例３における置き忘れ条件記憶部に記憶されている通常の操作の一例を示す図である。実施例３に係る携帯端末は、置き忘れ条件として、携帯端末に対して使用者が通常行う操作内容を示す通常操作を記憶する。具体的には、図１２に示すように、携帯端末の動作種別である「動作種別」と、携帯端末の動作種別に対する使用者の操作である「通常の操作」とを対応付けて記憶する。
【００８２】
例えば、図１２に示す例では、実施例３に係る携帯端末は、「動作種別」として「メール受信」、「通常の操作」として「カーソルをあわせてメールを確認する」を対応付けて記憶し、「動作種別」として「目覚まし」、「通常の操作」として「終話キー（電源キー）を用いて目覚ましを止める」を対応付けて記憶する。
【００８３】
そして、実施例３に係る携帯端末は、動作した後に、置き忘れ条件に記憶された操作条件と同様の操作があったか否かを監視する。そして、通常操作と同様の操作が行われなかったと監視された場合に、置き忘れられたと判定する。つまり、上記の例で言えば、「メール受信」について動作した場合において、例えば、通常の操作ではない操作である「選択キーを用いてメールを確認する」があった場合には、置き忘れられたと判定する。一方、通常操作と同様の操作が行われたと監視された場合には、置き忘れられたとは判定せず、処理を終了する。つまり、上記の例で言えば、「メール受信」について動作した場合において、「カーソルをあわせてメールを確認する」操作があった場合には、置き忘れられたとは判定せず、処理を終了する。
【００８４】
このようなことから、実施例３に係る携帯端末は、使用者以外の者が操作しており、通常行う操作でなければ、置き忘れとみなすことで、携帯端末のみで置き忘れられたことを判定することができる。
【００８５】
［携帯端末による置き忘れ判定時の処理］
次に、図１３を用いて、実施例３に係る携帯端末における置き忘れ判定の処理手順を説明する。図１３は、実施例３における置き忘れ判定の処理を示すフローチャートである。なお、以下では、実施例１および２に係る携帯端末と同様の点については、簡単に説明することにする。
【００８６】
図１３に示すように、実施例３に係る携帯端末は、動作し（例えば、「メール受信」）、タイマーの計測を開始し、監視指示を行い（ステップＳ５０１〜Ｓ５０３）、無操作時間（反応時間）内に携帯端末への使用者の操作があるかどうかを監視する（ステップＳ５０４およびＳ５０５）。ここで、実施例３に係る携帯端末は、無操作時間（反応時間）内に、使用者の操作がない場合には（ステップＳ５０４肯定およびＳ５０５否定）、置き忘れられたと判定し、置き忘れ設定を行う（ステップＳ５０７）。
【００８７】
一方、実施例３に係る携帯端末は、無操作時間（反応時間）内に使用者の操作がある場合には（ステップＳ５０４否定およびＳ５０５肯定）、かかる使用者の操作が通常の操作かを監視する（ステップＳ５０６）。そして、かかる使用者の操作が通常の操作である場合には（ステップＳ５０４否定およびＳ５０５肯定およびＳ５０６肯定）、置き忘れられていないと判定し、置き忘れ設定も行わずに処理を終了する。一方、かかる使用者の操作が通常の操作でない場合には（ステップＳ５０４否定およびＳ５０５肯定およびＳ５０６否定）、置き忘れられたと判定し、置き忘れ設定を行う（ステップＳ５０７）。
【００８８】
例えば、実施例３に係る携帯端末は、メールを受信して、使用者の操作があると、かかる使用者の操作が「カーソルをあわせてメールを確認する」に該当するかどうかを監視する。そして、使用者の操作が「カーソルをあわせてメールを確認する」に該当する場合には、置き忘れられていないと判定し、置き忘れ設定も行わずに処理を終了する。一方、使用者の操作が「カーソルをあわせてメールを確認する」に該当しない場合には（例えば、「回転型セレクタを用いてメールを確認」である場合）、置き忘れられたと判定し、置き忘れ設定を行う。
【００８９】
［実施例３の効果］
上記したように、実施例３によれば、携帯端末は、置き忘れ条件として、携帯端末に対して使用者が通常行う操作内容を示す通常操作を記憶し、携帯端末が動作した後に、通常操作と同様の操作があったか否かを監視し、通常操作と同様の操作が行われなかった場合に、置き忘れられたと判定するので、使用者以外の者が操作しており、通常行う操作でなければ、置き忘れとみなすことで、携帯端末は、携帯端末のみで置き忘れられたことを判定することができる。
【実施例４】
【００９０】
さて、これまで、実施例１〜３として、メール受信や電話着信による動作があった後に、携帯端末が置き忘れを判定する場合について説明したが、本発明はこれに限定されるものではなく、携帯端末が置き忘れられたかを確認するためだけの動作を自発的に行い、置き忘れを判定してもよい。
【００９１】
そこで、以下では、実施例４として、携帯端末が任意のタイミングで、自発的に動作を行い、携帯端末が置き忘れられたかを判定する場合について説明する。なお、以下では、実施例１〜３に係る携帯端末と同様の点については、簡単に説明することにする。
【００９２】
［実施例４の概要および特徴］
まず最初に、図１４を用いて、実施例４に係る携帯端末の概要および特徴を説明する。図１４は、実施例４における確認動作時の概要および特徴を説明するための図である。実施例４に係る携帯端末は、置き忘れられたか否かを確認するためだけに、所定の条件下で携帯端末を動作させる。例えば、所定の条件として、「最後の携帯端末に対する使用者の操作が行われた後、一定時間が経過する」という条件を記憶しておき、かかる条件を満たすと（図１４の（Ａ）参照）、タイマーの計測を開始し、バイブレータを振動させ、スピーカーから音声をだし、ディスプレイを点滅させるなどの動作を行う（図１４の（Ｂ）参照）。
【００９３】
そして、実施例４に係る携帯端末は、携帯端末に対する使用者の操作内容を監視する。具体的には、置き忘れたか否かを確認するためだけに、バイブレータを振動させるなどの動作を行った後に、使用者の操作があるかどうかを監視する。その後、使用者の操作がある場合には、置き忘れられたと判定せず（通常通り機能する）（図１４の（Ｃ）参照）、処理を終了する。一方、使用者の操作がない場合には、置き忘れられたと判定し、置き忘れ設定を行う（図１４の（Ｄ）参照）。
【００９４】
このようなことから、実施例４に係る携帯端末は、例えば、メールや電話の着信がなく、動作しない期間であっても、任意のタイミングで自発的に動作することで、置き忘れられたかどうかの判定を行うことができる。
【００９５】
［携帯端末による置き忘れ判定時の処理］
次に、図１５を用いて、実施例４における置き忘れ判定の処理手順を説明する。図１５は、実施例４における置き忘れ判定の処理を示すフローチャートである。なお、以下では、実施例１〜３に係る携帯端末と同様の点については、簡単に説明することにする。
【００９６】
図１５に示すように、実施例４に係る携帯端末は、一定時間経過すると（ステップＳ６０１肯定）、置き忘れ時間帯かを判定する（ステップＳ６０２）。ここで、置き忘れ判定時間帯であれば（ステップＳ６０２肯定）、確認動作を行い（ステップＳ６０３）、タイマーの計測を開始して使用者の操作を監視する（ステップＳ６０４）。つまり、実施例４に係る携帯端末は、置き忘れられたか否かを確認するためだけに、バイブレータを振動させ、スピーカーから音声をだし、ディスプレイを点滅させるなどの動作を行う。一方、置き忘れ判定時間帯でなければ（ステップＳ６０２否定）、置き忘れ判定を行わず、処理を終了する。
【００９７】
そして、実施例４に係る携帯端末は、確認動作に対する使用者の操作内容を監視し、無操作時間（反応時間）内に携帯端末への使用者の操作がない場合には、置き忘れ設定を行う（ステップＳ６０５〜ステップＳ６０７）。一方、使用者の操作がある場合には、置き忘れられたと判定せず、処理を終了する（ステップＳ６０５否定およびＳ６０６肯定）。なお、上記した置き忘れ判定処理は、主に、図２における置き忘れ判定部３２が行う。
【００９８】
［実施例４の効果］
上記したように、実施例４によれば、携帯端末は、置き忘れたかを判定するためだけに所定の条件下で携帯端末を動作させ、その後の使用者の操作内容を監視して置き忘れられたかを判定するので、例えば、メールや電話の着信がなく、携帯端末が動作しない期間であっても、携帯端末は、任意のタイミングで自発的に動作することで、置き忘れられたかどうかの判定を行うことができる。
【実施例５】
【００９９】
さて、これまで、実施例１〜４として、携帯端末が動作した後に使用者の操作を監視することにより、置き忘れを判定する場合について説明したが、本発明はこれに限定されるものではなく、最後に携帯端末に対して使用者の操作があってから再び操作があるまでの時間を用いて、置き忘れを判定してもよい。
【０１００】
そこで、以下では、実施例５として、最後に携帯端末に対して使用者の操作があってから再び操作があるまでの時間を用いて、携帯端末が置き忘れられたかを判定する場合について説明する。なお、以下では、実施例１〜４に係る携帯端末と同様の点については、簡単に説明することにする。
【０１０１】
［実施例５の概要および特徴］
まず最初に、実施例５に係る携帯端末の概要と特徴について簡単に説明する。実施例５に係る携帯端末は、携帯端末に対する使用者の操作があった後にも、携帯端末に対する使用者の操作があるか否かをさらに監視する。具体的には、実施例５に係る携帯端末は、携帯端末が動作した後に、携帯端末に対する使用者の操作があり、置き忘れられたとは判定されなかった場合にも、その後、さらに、タイマーの計測を開始し、使用者の次の操作があるまでの時間を監視する。
【０１０２】
そして、実施例５に係る携帯端末は、使用者の次の操作が所定時間ないことが監視された場合に、置き忘れられたと判定する。具体的には、最後に携帯端末に対する使用者の操作があった後、使用者の操作が所定時間ない場合に、置き忘れられたと判定し、置き忘れ設定をする。
【０１０３】
このようなことから、実施例５に係る携帯端末は、例えば、メールや電話の着信がなく、動作しない期間であっても、使用者の操作が一定時間なければ、置き忘れとみなすことで、携帯端末のみで置き忘れられたことを判定することができる。
【０１０４】
［携帯端末による置き忘れ判定時の処理］
次に、図１６を用いて、実施例５における置き忘れ判定の処理手順を説明する。図１６は、実施例５における置き忘れ判定を示すフローチャートである。なお、以下では、実施例１〜４に係る携帯端末と同様の点については、簡単に説明することにする。
【０１０５】
図１６に示すように、実施例５に係る携帯端末は、動作した後に、使用者の操作があった場合において（ステップＳ７０１〜ステップＳ７０５）、置き忘れ判定時間帯である場合には（ステップＳ７０６肯定）、タイマーの計測を開始し、使用者の次の操作があるかどうかを監視する（ステップＳ７０７）。一方、置き忘れ判定時間帯ではない場合には、処理を終了する（ステップＳ７０６否定）。
【０１０６】
そして、実施例５に係る携帯端末は、所定の時間内に使用者の次の操作がない場合には、置き忘れられたと判定し（ステップＳ７０８肯定およびＳ７０９否定）、置き忘れ設定を行う（ステップＳ７１０）。一方、所定の時間内に携帯端末に対する使用者の操作がある場合には（ステップＳ７０８否定〜ステップＳ７０９肯定）、置き忘れられたとは判定せず、処理を終了する。なお、上記した置き忘れ判定処理は、主に、図２における置き忘れ判定部３２が行う。
【０１０７】
［実施例５の効果］
上記したように、実施例５によれば、携帯端末は、使用者の操作があった後にも、携帯端末に対する使用者の操作があるか否かをさらに監視し、使用者の操作が所定時間ない場合にも、置き忘れられたと判定するので、例えば、メールや電話の着信がなく、携帯端末が動作しない期間であっても、使用者の操作が一定時間なければ、置き忘れとみなすことで、携帯端末のみで置き忘れられたことを判定することができる。
【実施例６】
【０１０８】
さて、これまで、実施例１〜５として、使用者の操作のみを監視して、携帯端末が置き忘れを判定する場合について説明したが、本発明はこれに限定されるものではなく、携帯端末の位置情報の変動を監視して、置き忘れを判定してもよい。
【０１０９】
そこで、以下では、実施例６として、携帯端末の位置情報の変動を監視して、置き忘れられたかを判定する場合について説明する。なお、以下では、実施例１〜５に係る携帯端末と同様の点については、簡単に説明することにする。
【０１１０】
［実施例６の概要および特徴］
まず最初に、図１７を用いて、実施例６に係る携帯端末の概要および特徴を説明する。図１７は、実施例６における移動監視時の置き忘れ判定の概要および特徴を説明するための図である。実施例６に係る携帯端末は、携帯端末の位置情報を監視する。例えば、携帯端末の移動や振動や加速の有無などを検出して、位置情報の変動を監視する。
【０１１１】
そして、実施例６に係る携帯端末は、上述した携帯端末に対する使用者の操作のほかに、携帯端末の位置情報の監視結果に応じて、置き忘れられたかを判定する。例えば、携帯端末の移動がない場合に（図１７の（Ａ）参照）、タイマーの計測を開始し、置き忘れ判定を行う。そして、置き忘れと判定する時間内（移動がない場合に置き忘れと判定できる時間、例えば、「１８０分」）に携帯端末の移動がない場合には（図１７の（Ｂ）参照）、置き忘れられたと判定し、置き忘れ設定を行う（図１７の（Ｃ）参照）。一方、置き忘れと判定する時間内に携帯端末の移動がある場合には（図１７の（Ｄ）参照）、置き忘れられたと判定せず、処理を終了する（図１７の（Ｅ）参照）。
【０１１２】
このようなことから、実施例６に係る携帯端末は、携帯端末の位置情報も監視することができる結果、携帯端末の位置情報にも基づいた高度な置き忘れ判定（例えば、携帯端末が一定時間移動していない場合に置き忘れられたと判定するなど）を行うこともできる。
【０１１３】
［携帯端末による置き忘れ判定時の処理］
次に、図１８を用いて、実施例６における置き忘れ判定の処理手順を説明する。図１８は、実施例６における置き忘れ判定の処理を示すフローチャートである。なお、以下では、実施例１〜５に係る携帯端末と同様の点については、簡単に説明することにする。
【０１１４】
図１８に示すように、実施例６に係る携帯端末は、携帯端末の移動がない場合には（ステップＳ８０１否定）、置き忘れ判定時間帯かを判定する（ステップＳ８０２）。そして、置き忘れ判定時間帯である場合には（ステップＳ８０２肯定）、タイマーの計測を開始するとともに、携帯端末に移動があるかどうかを監視し、使用者の操作があるかどうかを監視する（ステップＳ８０３〜Ｓ８０５）。一方、移動がある場合には（ステップＳ８０１肯定）、または、置き忘れ判定時間帯でない場合には（ステップＳ８０１否定およびＳ８０２否定）、タイマーの計測を開始せず、移動があるかどうかを監視せず、使用者の操作があるかどうかを監視せず、処理を終了する。
【０１１５】
そして、実施例６に係る携帯端末は、置き忘れと判定する時間経過前に、携帯端末に移動がある場合には、または、使用者の操作がある場合には（ステップＳ８０４否定およびＳ８０５肯定）、置き忘れられていないと判定し、処理を終了する。一方、携帯端末に移動がなく、さらに、使用者の操作がない場合には（ステップＳ８０４肯定およびＳ８０５否定）、置き忘れられたと判定し、置き忘れ設定をする（ステップＳ８０６）。なお、上記した置き忘れ判定処理は、主に、図２における置き忘れ判定部３２が行う。
【０１１６】
［実施例６の効果］
上記したように、実施例６によれば、携帯端末は、携帯端末の位置情報を監視し、携帯端末に対する使用者の操作のほかに、携帯端末の位置情報の変化に応じて、置き忘れをさらに判定するので、携帯端末の位置情報も監視することができる結果、携帯端末の位置情報にも基づいた高度な置き忘れ判定（例えば、携帯端末が一定時間移動していない場合に置き忘れられたと判定するなど）を行うこともできる。
【実施例７】
【０１１７】
さて、これまで、実施例１〜５として、使用者の操作のみを監視して、携帯端末が置き忘れを判定する場合について説明したが、本発明はこれに限定されるものではなく、携帯端末の周囲の音声の変動を監視して、置き忘れを判定してもよい。
【０１１８】
そこで、以下では、実施例７として、実施例１〜５で説明した置き忘れ判定を、携帯端末の周囲の音声の変動を監視して、携帯端末が置き忘れられたかを判定する場合について説明する。なお、以下では、実施例１〜６に係る携帯端末と同様の点については、簡単に説明することにする。
【０１１９】
［実施例７の概要および特徴］
まず最初に、図１９を用いて、実施例７に係る携帯端末の概要および特徴を説明する。図１９は、実施例７における周囲音声監視時の置き忘れ判定の概要および特徴を説明するための図である。実施例７に係る携帯端末は、周辺音を監視する。例えば、周辺の音声の変動の大きさを監視する。
【０１２０】
そして、実施例７に係る携帯端末は、上述した携帯端末に対する使用者の操作のほかに、携帯端末の周辺音の監視結果に応じて、置き忘れられたかを判定する。例えば、周辺の音声の変化が少ない場合に（図１９の（Ａ）参照）、タイマーの計測を開始し、置き忘れ判定を行う。そして、置き忘れと判定する時間内（周囲音声の変化がない場合に置き忘れと判定できる時間、例えば、「１８０分」）に周囲の音声の変化がない場合には（図１９の（Ｂ）参照）、置き忘れられたと判定し、置き忘れ設定を行う（図１９の（Ｃ）参照）。一方、置き忘れと判定する時間内に周囲の音声の変化が大きい場合には（図１９の（Ｄ）参照）、置き忘れられたと判定せず、処理を終了する（図１９の（Ｅ）参照）。
【０１２１】
このようなことから、実施例７に係る携帯端末は、携帯端末の周囲音声も監視することができる結果、携帯端末の周囲の音声にも基づいた高度な置き忘れ判定（例えば、周囲の音声が変動しない場合に置き忘れられたと判定するなど）をすることもできる。
【０１２２】
［携帯端末による置き忘れ判定時の処理］
次に、図２０を用いて、実施例７における置き忘れ判定の処理手順を説明する。図２０は、実施例７における置き忘れ判定の処理を示すフローチャートである。なお、以下では、実施例１〜６に係る携帯端末と同様の点については、簡単に説明することにする。
【０１２３】
図２０に示すように、実施例７に係る携帯端末は、携帯端末の周囲音声に変動がない場合には（ステップＳ９０１肯定）、置き忘れ判定時間帯かを判定する（ステップＳ９０２）。そして、置き忘れ判定時間帯である場合には（ステップＳ９０２肯定）、タイマーの計測を開始するとともに、携帯端末の周囲音声に変化があるかどうかを監視し、携帯端末に対する使用者の操作があるかどうかを監視する（ステップＳ９０３〜Ｓ９０５）。一方、周囲音声に変動がある場合には（ステップＳ９０１肯定）、または、置き忘れ時間帯でない場合には（ステップＳ９０２否定）、タイマーの計測を開始せず、周囲音声の変動を監視せず、使用者の操作があるかどうかを監視せず、処理を終了する。
【０１２４】
そして、実施例７に係る携帯端末は、置き忘れと判定する時間経過前に、携帯端末の周囲音声に変化がない場合には、または、使用者の操作がある場合には、（ステップＳ９０４否定およびＳ９０５肯定）、置き忘れられていないと判定し、処理を終了する。一方、周囲音声に変動がなく、さらに、使用者の操作がない場合には、（ステップＳ９０４肯定およびステップＳ９０５否定）、置き忘れられたと判定し、置き忘れ設定を行う（ステップＳ９０６）。なお、上記した置き忘れ判定処理は、主に、図２における置き忘れ判定部３２が行う。
【０１２５】
［実施例７の効果］
上記したように、実施例７によれば、携帯端末は、携帯端末の周辺音を監視し、携帯端末に対する使用者の操作のほかに、携帯端末の周辺音の変化に応じて、置き忘れをさらに判定するので、携帯端末の周囲音声も監視することができる結果、携帯端末の周囲の音声にも基づいた高度な置き忘れ判定（例えば、周囲の音声が変動しない場合に置き忘れられたと判定するなど）をすることもできる。
【実施例８】
【０１２６】
ところで、これまで実施例１〜７に係る携帯端末について説明してきたが、この発明は上記した実施例以外にも種々の異なる形態にて実施されてよいものである。そこで、以下では、実施例８に係る携帯端末として、異なる実施例を説明する。
【０１２７】
例えば、実施例３では、携帯端末は、置き忘れ条件として、携帯端末に対して使用者が通常行う操作を記憶したが、本発明はこれに限定されるものではなく、例えば、置き忘れ条件として通常行われない操作を記憶して、通常行われない操作がされた場合に置き忘れられたと判定してもよい。また、例えば、携帯端末が使用者の操作履歴を記憶し、携帯端末に対して使用者の操作が行われると、使用者の操作が操作履歴に記憶されている操作と一致するか（または、操作履歴に同様の操作が多く記憶されているか）により、置き忘れ判定を行ってもよい。
【０１２８】
また、実施例４では、携帯端末は、所定の条件として一定時間経過した場合に、自発的に動作したが、本発明はこれに限定されるものではなく、例えば、所定の条件として、通信圏外になると自発的に動作する場合、決まった時間に自発的に動作する場合などでもよい。
【０１２９】
また、実施例７では、周囲音声の変化があるかないかを用いて、置き忘れ判定を行う場合について説明したが、本発明はこれに限定されるものではなく、周囲音声が特定の状況（例えば、使用者の音声を一定時間検知できなかった場合など）に該当したときに、置き忘れと判定する場合などでもよい。
【０１３０】
また、上記文書中や図面中で示した処理手順、制御手順、具体的名称、各種のデータやパラメータを含む情報（例えば、図３、図４、図５、図６、図１０、図１２など）については、特記する場合を除いて任意に変更することができる。
【０１３１】
また、図示した各装置の各構成要素は機能概念的なものであり、必ずしも物理的に図示の如く構成されていることを要しない。すなわち、各装置の分散・統合の具体的形態は図示のものに限られず（例えば、図２における置き忘れ判定部３２と置き忘れ時制御部３３を統合するなど）、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよびＣＰＵにて解析実行されるプログラムにて実現され、あるいは、ワイヤードロジックによるハードウェアとして実現され得る。
【０１３２】
[携帯端末制御プログラム]
ところで、上記実施例１では、ハードウェアロジックによって各種の処理を実現する場合を説明したが、本発明はこれに限定されるものではなく、予め用意されたプログラムをコンピュータで実行することによって実現するようにしてもよい。そこで、以下では、図２１を用いて、上記の実施例１に示した携帯端末と同様の機能を有する携帯端末制御プログラムを実行するコンピュータの一例を説明する。図２１は、実施例１における携帯端末のプログラムを示す図である。
【０１３３】
同図に示すように、携帯端末は、無線部２１０１、スピーカー２１０２、カメラ２１０３、マイク２１０４、操作部２１０５、バイブレータ２１０６、ディスプレイ２１０８、ＣＰＵ２１１０、ＲＯＭ２１１１、ＨＤＤ２１１２、ＲＡＭ２１１３をバス２１０９などで接続して構成されている。
【０１３４】
ＲＯＭ２１１１には、上記の実施例１で示した制御部３０および入出力制御ＩＦ部２０と同様の機能を発揮する制御プログラムおよび入出力制御プログラム、つまり、図２１に示すように、操作監視プログラム２１１１ａと、置き忘れ判定プログラム２１１１ｂと、置き忘れ時制御プログラム２１１１ｃと、データ入出力制御プログラム２１１１ｄと、とが予め記憶されている。なお、これらのプログラム２１１１ａ〜２１１１ｄについては、図２に示した携帯端末の各構成要素と同様、適宜統合または分離してもよい。
【０１３５】
そして、ＣＰＵ２１１０が、これらのプログラム２１１１ａ〜２１１１ｄをＲＯＭ２１１１から読み出して実行することにより、図２１に示すように、各プログラム２１１１ａ〜２１１１ｄについては、操作監視プロセス２１１０ａと、置き忘れ判定プロセス２１１０ｂと、置き忘れ時制御プロセス２１１０ｃと、データ入出力制御プロセス２１１０ｄとして機能するようになる。なお、各プロセス２１１０ａ〜２１１０ｄは、図２に示した、操作監視部３１、置き忘れ判定部３２、置き忘れ時制御部３３、入出力制御ＩＦ部２０にそれぞれ対応する。
【０１３６】
そして、ＣＰＵ２１１０は、ＲＡＭ２１１３に格納された置き忘れ条件データ２１１３ａと、置き忘れ時設定データ２１１３ｂとに基づいて携帯端末制御プログラムを実行する。
【０１３７】
なお、本実施例で説明した各プログラム２１１１ａ〜２１１１ｄについては、必ずしも最初からＲＯＭに記憶させておく必要はなく、例えば携帯端末に挿入されるメモリーカード、フレキシブルディスク、ＣＤ−ＲＯＭ、ＭＯディスク、ＤＶＤディスク、光磁気ディスク、ＩＣカードなどの「可搬用の物理媒体」、または、携帯端末の内外に備えられるＨＤＤなどの「固定用の物理媒体」、さらには、公衆回線、インターネット、ＬＡＮ、ＷＡＮなどを介して携帯端末に接続される「他のコンピュータ（またはサーバ）」などに各プログラムを記憶させておき、携帯端末がこれらから各プログラムを読みだして実行するようにしてもよい。
【０１３８】
（付記１）使用者によって携帯されて操作される携帯端末であって、
前記携帯端末に対する使用者の操作内容であって当該携帯端末の置き忘れを判定する際に用いられる置き忘れ条件を記憶する置き忘れ条件記憶手段と、
前記携帯端末が動作した後に、当該携帯端末に対する使用者の操作を監視する操作監視手段と、
前記操作監視手段による監視結果と前記置き忘れ条件記憶手段に記憶された置き忘れ条件とを比較し、当該監視結果が当該置き忘れ条件を満たす場合に、前記携帯端末が置き忘れられたと判定する置き忘れ判定手段と、
を備えたことを特徴とする携帯端末。
【０１３９】
（付記２）前記置き忘れ条件記憶手段は、前記置き忘れ条件として、前記携帯端末が動作してから前記使用者が操作で反応するまでに要する時間を示す反応時間を記憶し、
前記操作監視手段は、前記携帯端末が動作した後に、当該携帯端末に対する使用者の操作があったか否かを監視し、
前記置き忘れ判定手段は、前記携帯端末が動作してから前記置き忘れ条件記憶手段に記憶された反応時間を経過するまでに、当該携帯端末に対する使用者の操作がないことが前記操作監視手段によって監視された場合に、当該携帯端末が置き忘れられたと判定することを特徴とする付記１に記載の携帯端末。
【０１４０】
（付記３）前記置き忘れ条件記憶手段は、前記携帯端末の動作ごとに、各動作の前記反応時間を記憶し、
前記置き忘れ判定手段は、前記携帯端末の動作に応じて、前記置き忘れ条件記憶手段に記憶された当該動作の反応時間を経過するまでに、当該携帯端末に対する使用者の操作がないことが前記操作監視手段によって監視された場合に、当該携帯端末が置き忘れられたと判定することを特徴とする付記２に記載の携帯端末。
【０１４１】
（付記４）前記携帯端末の動作ごとに、各動作を監視するか否かの設定および／または各動作の前記反応時間の設定を前記使用者から受け付ける設定受付手段をさらに備え、
前記置き忘れ条件記憶手段は、前記設定受付手段によって監視および反応時間が設定された動作ごとに、各動作の反応時間を記憶することを特徴とする付記２に記載の携帯端末。
【０１４２】
（付記５）前記置き忘れ条件記憶手段は、前記置き忘れ条件として、当該携帯端末に対して使用者が通常行う操作内容を示す通常操作を記憶し、
前記操作監視手段は、前記携帯端末が動作した後に、前記置き忘れ条件記憶手段に記憶された通常操作と同様の操作があったか否かを監視し、
前記置き忘れ判定手段は、前記置き忘れ条件記憶手段に記憶された通常操作と同様の操作が行われなかったことが前記操作監視手段によって監視された場合に、前記携帯端末が置き忘れられたと判定することを特徴とする付記１に記載の携帯端末。
【０１４３】
（付記６）前記置き忘れ条件記憶手段は、前記携帯端末の置き忘れを判定すべき時間帯を示す判定時間帯をさらに記憶し、
前記操作監視手段は、前記置き忘れ条件記憶手段に記憶された判定時間帯に限り、前記携帯端末に対する使用者の操作を監視し、
前記置き忘れ判定手段は、前記置き忘れ条件記憶手段に記憶された判定時間帯に限り、前記携帯端末の置き忘れを判定することを特徴とする付記１〜５のいずれか一つに記載の携帯端末。
【０１４４】
（付記７）前記携帯端末が置き忘れたか否かを確認するためだけに所定の条件下で当該携帯端末を動作させる確認動作手段をさらに備え、
前記操作監視手段は、前記確認動作手段によって前記携帯端末が動作した後に、当該携帯端末に対する使用者の操作内容を監視することを特徴とする付記１〜６のいずれか一つに記載の携帯端末。
【０１４５】
（付記８）前記操作監視手段は、前記携帯端末に対する使用者の操作があった後にも、当該携帯端末に対する使用者の操作があるか否かをさらに監視し、
前記置き忘れ判定手段は、前記携帯端末に対する使用者の操作が所定時間ないことが前記操作監視手段によって監視された場合にも、当該携帯端末が置き忘れられたと判定することを特徴とする付記１〜７のいずれか一つに記載の携帯端末。
【０１４６】
（付記９）前記携帯端末の位置情報を監視する位置情報監視手段をさらに備え、
前記置き忘れ判定手段は、前記操作監視手段による監視結果のほかに、前記位置情報監視手段による監視結果に応じて、前記携帯端末の置き忘れをさらに判定することを特徴とする付記１〜８のいずれか一つに記載の携帯端末。
【０１４７】
（付記１０）前記携帯端末の周辺音を監視する周辺音監視手段とをさらに備え、
前記置き忘れ判定手段は、前記操作監視手段による監視結果のほかに、前記周辺音監視手段による監視結果に応じて、前記携帯端末の置き忘れをさらに判定することを特徴とする付記１〜９のいずれか一つに記載の携帯端末。
【０１４８】
（付記１１）使用者によって携帯されて操作される携帯端末を制御する携帯端末制御装置であって、
前記携帯端末に対する使用者の操作内容であって当該携帯端末の置き忘れを判定する際に用いられる置き忘れ条件を記憶する置き忘れ条件記憶手段と、
前記携帯端末が動作した後に、当該携帯端末に対する使用者の操作を監視する操作監視手段と、
前記操作監視手段による監視結果と前記置き忘れ条件記憶手段に記憶された置き忘れ条件とを比較し、当該監視結果が当該置き忘れ条件を満たす場合に、前記携帯端末が置き忘れられたと判定する置き忘れ判定手段と、
を備えたことを特徴とする携帯端末制御装置。
【０１４９】
（付記１２）使用者によって携帯されて操作される携帯端末を制御する携帯端末制御方法であって、
前記携帯端末に対する使用者の操作内容であって当該携帯端末の置き忘れを判定する際に用いられる置き忘れ条件を所定の記憶部に記憶する置き忘れ条件記憶工程と、
前記携帯端末が動作した後に、当該携帯端末に対する使用者の操作を監視する操作監視工程と、
前記操作監視手段による監視結果と前記所定の記憶部に記憶された置き忘れ条件とを比較し、当該監視結果が当該置き忘れ条件を満たす場合に、前記携帯端末が置き忘れられたと判定する置き忘れ判定工程と、
を含んだことを特徴とする携帯端末制御方法。
【０１５０】
（付記１３）使用者によって携帯されて操作される携帯端末を制御する方法をコンピュータに実行させる携帯端末制御プログラムであって、
前記携帯端末に対する使用者の操作内容であって当該携帯端末の置き忘れを判定する際に用いられる置き忘れ条件を所定の記憶部に記憶する置き忘れ条件記憶手順と、
前記携帯端末が動作した後に、当該携帯端末に対する使用者の操作を監視する操作監視手順と、
前記操作監視手順による監視結果と前記所定の記憶部に記憶された置き忘れ条件とを比較し、当該監視結果が当該置き忘れ条件を満たす場合に、前記携帯端末が置き忘れられたと判定する置き忘れ判定手順と、
をコンピュータに実行させることを特徴とする携帯端末制御プログラム。
【産業上の利用可能性】
【０１５１】
以上のように、本発明に係る携帯端末は、使用者によって携帯されて操作される携帯端末に有用であり、特に、携帯端末が動作した後の当該携帯端末に対する使用者の操作を監視して、携帯端末のみで、携帯端末が置き忘れられたことを判定することができる携帯端末の実現に適する。
【図面の簡単な説明】
【０１５２】
【図１】実施例１に係る携帯端末の概要および特徴を説明するための図である。
【図２】実施例１における携帯端末の構成を示すブロック図である。
【図３】実施例１における置き忘れ条件記憶部に記憶される条件の一例を示す図である。
【図４】実施例１における置き忘れ条件の設定時の処理の一例を示す図である。
【図５】実施例１における置き忘れ時設定記憶部に記憶される条件の一例を示す図である。
【図６】実施例１における置き忘れ設定中のメール受信処理の一例を示す図である。
【図７】実施例１における置き忘れ判定の処理を示すフローチャートである。
【図８】実施例１における置き忘れ設定中のメール受信処理を示すフローチャートである。
【図９】実施例１における置き忘れ設定中の電話着信処理を示すフローチャートである。
【図１０】実施例２における置き忘れ条件の詳細設定時の画面の一例を示す図である。
【図１１】実施例２における置き忘れ判定の処理を示すフローチャートである。
【図１２】実施例３における置き忘れ条件記憶部に記憶されている通常の操作の一例を示す図である。
【図１３】実施例３における置き忘れ判定の処理を示すフローチャートである。
【図１４】実施例４における確認動作時の概要および特徴を説明するための図である。
【図１５】実施例４における置き忘れ判定の処理を示すフローチャートである。
【図１６】実施例５における置き忘れ判定の処理を示すフローチャートである。
【図１７】実施例６における移動監視時の置き忘れ判定の概要および特徴を説明するための図である。
【図１８】実施例６における置き忘れ判定の処理を示すフローチャートである。
【図１９】実施例７における周囲音声監視時の置き忘れ判定の概要および特徴を説明するための図である。
【図２０】実施例７における置き忘れ判定の処理を示すフローチャートである。
【図２１】実施例１における携帯端末のプログラムを示す図である。
【符号の説明】
【０１５３】
１２  ディスプレイ
１３  スピーカー
１５  バイブレータ
１７  操作部
２０  入出力制御ＩＦ部
３１  操作監視部
３２  置き忘れ判定部
３３  置き忘れ時制御部
４１  置き忘れ時設定記憶部
４２  置き忘れ条件記憶部
【図１】
2008141421.tif 000003
【図２】
2008141421.tif 000004
【図３】
2008141421.tif 000005
【図４】
2008141421.tif 000006
【図５】
2008141421.tif 000007
【図６】
2008141421.tif 000008
【図７】
2008141421.tif 000009
【図８】
2008141421.tif 000010
【図９】
2008141421.tif 000011
【図１０】
2008141421.tif 000012
【図１１】
2008141421.tif 000013
【図１２】
2008141421.tif 000014
【図１３】
2008141421.tif 000015
【図１４】
2008141421.tif 000016
【図１５】
2008141421.tif 000017
【図１６】
2008141421.tif 000018
【図１７】
2008141421.tif 000019
【図１８】
2008141421.tif 000020
【図１９】
2008141421.tif 000021
【図２０】
2008141421.tif 000022
【図２１】
2008141421.tif 000023